(57)【要約】【課題】ユーザが鑑賞するのに最適なスライドショーを提供可能な記録媒体を作成することができる写真処理装置を実現する。【解決手段】撮影コマ画像を自動的に順次表示するスライドショーを作成するスライドショー作成部４４と、作成されたスライドショーを記録媒体に記録する記録装置１Ｃとを備えた写真処理装置において、スライドショー作成部４４は、一の撮影コマ画像群について、各撮影コマ画像の表示時間がスライドショー毎に相違する複数のスライドショーを作成するとともに、記録装置１Ｃは、作成された複数のスライドショーを一の記録媒体に記録する。【選択図】図５
2007243572.tif 000002
【特許請求の範囲】
【請求項１】
撮影コマ画像を自動的に順次表示するスライドショーを作成するスライドショー作成部と、作成されたスライドショーを記録媒体に記録する画像記録部とを備えた写真処理装置において、
前記スライドショー作成部は、一の撮影コマ画像群について、スライドショーにおいて表示される前記撮影コマ画像群の各撮影コマ画像の表示時間がスライドショー毎に相違する複数のスライドショーを作成するとともに、
前記画像記録部は前記複数のスライドショーを一の記録媒体に記録する写真処理装置。
【請求項２】
前記スライドショーにおいて表示される撮影コマ画像が切り替わる際の切替モードを設定するとともに、設定された切替モードの所要時間を前記表示時間に応じて変更する切替モード設定部を有する請求項１に記載の写真処理装置。
【請求項３】
前記撮影コマ画像群を構成する各撮影コマ画像を選択可能なスライドショー画像設定部を有する請求項１又は２に記載の写真処理装置。
【請求項４】
予め指定したスライドショーの再生所要時間に基づいて、前記各撮影コマ画像の表示時間を自動的に調整する表示時間設定部を有する請求項１から３のいずれか一項に記載の写真処理装置。
【請求項５】
前記記録媒体の空き容量に基づいて、前記複数のスライドショーが当該記録媒体に記録可能か判定する記録量判定部と、前記記録量判定部において記録不可能と判定された場合、その判定結果を報知する報知部とを有する請求項１から４のいずれか一項に記載の写真処理装置。
【発明の詳細な説明】
【技術分野】
【０００１】
本発明は、撮影コマ画像を自動的に順次表示するスライドショーを作成するスライドショー作成部と、作成されたスライドショーを記録媒体に記録する画像記録部とを備えた写真処理装置に関する。
【背景技術】
【０００２】
近年、写真ＤＰ店では、顧客から提供された写真フィルムやデジタルカメラのメモリカードなどから取得した撮影コマ画像に対して適切な画像処理を施した後、これを写真プリント出力する写真プリント出力サービスや、ＣＤ−Ｒ、ＣＤ−ＲＷ、ＤＶＤ−Ｒ、ＤＶＤ−ＲＷなどの記録媒体に記録するメディア出力サービスが展開されている。このようなメディア出力サービスは、撮影コマ画像のデジタル処理が可能なデジタルミニラボと呼ばれる写真処理装置におけるオプション処理として実現されているが、この際、撮影コマ画像を自動的に順次表示するスライドショーを作成して、このスライドショーも記録媒体に記録して顧客に提供するサービスも行われている。
【０００３】
このようなスライドショーを作成する技術として、例えば特許文献１に記載の動画データ生成システムがある。この動画データ生成システムは、現像したフィルムなどから複数の静止画像データ（撮影コマ画像）を読み取る手段と、各々の静止画像データに対して予め定められた一画像当たりの表示時間から計算される数量の、静止画像データとの差分を示す差分データを生成する手段と、各々の静止画像データにこの差分データを付加して動画データを生成する手段（スライドショー作成部）と、情報記録媒体に、少なくとも動画データと静止画像データとをこの順で記録する手段（画像記録部）とを有している。
【０００４】
この動画データ生成システムにおいて静止画像データから動画データを生成するためには、例えば、フレームレートを６０コマ／秒に設定し、基準となる静止画像データは３０枚に１枚毎とし、５秒間隔で画像を切り替える動画データを生成する場合、まず、１／６０秒後の画像データとして前の画像との差分が０の差分０データ（同一画像データ）を基準となる静止画像データに追加し、これを２９回繰り返して０．５秒間に表示される画像データ群を生成する。さらに、この画像データ群の生成操作を９回繰り返すことにより、５秒間表示される複合データが生成される。そして、この複合データの生成操作を静止画像データの数だけ繰り返すことにより、各々の静止画像データが５秒表示される動画データが生成される。
【０００５】
【特許文献１】特開２００３−２５９３０３号公報（第〔０００９〕〜〔００１０〕段落、第〔００４６〕〜〔００５２〕段落）
【発明の開示】
【発明が解決しようとする課題】
【０００６】
しかしながら、特許文献１のシステムで作成した情報記録媒体を、スライドショー実行プログラムがインストールされているパソコンなどで実行する場合は、この実行プログラムを用いて静止画像データに基づいて一画像当たりの表示時間を変更してスライドショーを実行することができるが、上述のようにして生成され情報記録媒体に記録された動画データをＤＶＤプレーヤーなどの動画再生機器で再生する場合は、一画像当たりの表示時間が予め定められているため、これを変更することができないという問題がある。
【０００７】
特にパソコンに不慣れなユーザや撮影コマ画像のスライドショーだけを鑑賞する場合は、ＤＶＤプレーヤーなどで鑑賞することが多いが、各撮影コマ画像が切り替わる望ましい時間間隔はそれを鑑賞するユーザの好みによって異なり、このように予め定められた一の表示時間だけではユーザにとって十分満足できるものとは言い難い。また、一時停止機能を用いることで画像の表示時間を長くすることはできるが、その都度一時停止の操作が必要であり操作が煩雑となる。
【０００８】
本発明は、かかる問題点に着目してなされたものであり、その目的は、ユーザが鑑賞するのに最適なスライドショーを提供可能な記録媒体を作成することができる写真処理装置を実現することにある。
【課題を解決するための手段】
【０００９】
上記目的を達成するための本発明に係る写真処理装置の第一特徴構成は、撮影コマ画像を自動的に順次表示するスライドショーを作成するスライドショー作成部と、作成されたスライドショーを記録媒体に記録する画像記録部とを備えた写真処理装置において、前記スライドショー作成部は、一の撮影コマ画像群について、スライドショーにおいて表示される前記撮影コマ画像群の各撮影コマ画像の表示時間がスライドショー毎に相違する複数のスライドショーを作成するとともに、前記画像記録部は前記複数のスライドショーを一の記録媒体に記録する点にある。
【００１０】
本構成のごとく、一の撮影コマ画像群について、スライドショーにおいて表示される各撮影コマ画像の表示時間（一撮影コマ画像当たりの表示時間）が、作成するスライドショー毎に相違する複数のスライドショーを一度に作成し、この複数のスライドショーを一の記録媒体に記録することで、ユーザが鑑賞するのに最適なスライドショーを提供可能な記録媒体を作成することができる。すなわち、ユーザはこの記録媒体をＤＶＤプレーヤーなどの動画再生機器で再生する場合において、各撮影コマ画像の表示時間が相違する複数のスライドショーの中から自分の好みに応じた表示時間のスライドショーをメニュー画面で選択して鑑賞することができ、ユーザにとって鑑賞し易いスライドショーを提供することができる。例えば、スライドショーにおいて表示される撮影コマ画像群の各撮影コマ画像の表示時間が４秒・５秒・６秒・７秒・８秒の５種類のスライドショーを作成し、これをＤＶＤ−Ｒなどの記録媒体に記録してユーザに提供することで、ユーザはＤＶＤプレーヤーなどで再生する場合に、これらの５種類のスライドショーの中から自身にとって最適な表示時間のスライドショーをメニュー画面において選択して鑑賞することができる。
【００１１】
本発明に係る写真処理装置の第二特徴構成は、前記スライドショーにおいて表示される撮影コマ画像が切り替わる際の切替モードを設定するとともに、設定された切替モードの所要時間を前記表示時間に応じて変更する切替モード設定部を有する点にある。
【００１２】
表示される撮影コマ画像が切り替わる際、すなわち、一の撮影コマ画像から次の撮影コマ画像に切り替わる際の切替モードとして、表示されている撮影コマ画像の画面をめくり次の撮影コマ画像の画面を表示するモードや、表示されている撮影コマ画像をフェードアウトして次の撮影コマ画像を表示させるモードなど、種々の切替モードがある。本構成のごとく、表示される撮影コマ画像が切り替わる際にこの切替モードを設定するとともに、設定された切替モードの所要時間（切替モードの開始から終了までの時間）を撮影コマ画像の表示時間に応じて変更することで、表示時間の長短に合わせて好適な所要時間の切替モードが表示され、質の高いスライドショーを提供することができる。
【００１３】
本発明に係る写真処理装置の第三特徴構成は、前記撮影コマ画像群を構成する各撮影コマ画像を選択可能なスライドショー画像設定部を有する点にある。
【００１４】
本構成のごとく、スライドショーにおいて表示させる撮影コマ画像を選択画面などに基づいて選択可能にすることで、所望する撮影コマ画像などを適宜選択してスライドショーを作成することができる。また、全ての撮影コマ画像の中から一部を選択することで、スライドショーの冗長性を避けるとともに、作成する複数のスライドショー全体のデータ量を抑制することもできる。
【００１５】
本発明に係る写真処理装置の第四特徴構成は、予め指定したスライドショーの再生所要時間に基づいて、前記各撮影コマ画像の表示時間を自動的に調整する表示時間設定部を有する点にある。
【００１６】
スライドショーの再生所要時間（スライドショーの開始から終了までの時間）があまり長くならないように、その再生に係る所要時間を予め決めておくと便利な場合が多い。この場合、本構成のごとく、予め指定したスライドショーの再生所要時間に基づいて各撮影コマ画像の表示時間を自動的に調整、例えば指定した再生所要時間を表示する撮影コマ画像数で除算して各撮影コマ画像の表示時間を算出することにより、各撮影コマ画像の表示時間がスライドショー毎に相違する複数のスライドショーを簡単に作成することができる。
【００１７】
本発明に係る写真処理装置の第五特徴構成は、前記記録媒体の空き容量に基づいて、前記複数のスライドショーが当該記録媒体に記録可能か判定する記録量判定部と、前記記録量判定部において記録不可能と判定された場合、その判定結果を報知する報知部とを有する点にある。
【００１８】
スライドショーを複数作成する場合、必然的にその全体のデータ量が大きくなり、一の記録媒体に全て記録できない事態が生ずる可能性もある。このため、本構成のごとく、記録媒体の空き容量に基づいて複数のスライドショーが当該記録媒体に記録可能か判定し、記録不可能と判定された場合その判定結果を表示することで、作成した複数のスライドショーを一の記録媒体に記録する作業を確実かつ効率的に進めることができる。
【発明を実施するための最良の形態】
【００１９】
以下、本発明に係る写真処理装置の実施形態を図面に基づいて説明する。
〔全体構成〕
図１に、本発明に係る写真処理装置の一例が模式的に示されている。この写真処理装置１は、いわゆるデジタルミニラボと称せられるものであり、現像済み写真フィルムやデジタルカメラ用メモリカードなどの記録媒体から取り込んだ撮影コマ画像の画像データ（以下、単に「撮影コマ画像」と称する）に対して、必要な画像処理を施してプリントデータとしてプリントステーション１Ｂに転送したり、画像処理を施された撮影コマ画像などのデータを記録装置１Ｃに転送したりする操作ステーション１Ａと、この転送されたプリントデータに基づいて印画紙に対して露光処理と現像処理とを行う写真プリンタとしてのプリントステーション１Ｂと、転送された撮影コマ画像などを空の記録媒体Ｍに記録する記録装置１Ｃ（画像記録部の一例）とから構成されている。
【００２０】
操作ステーション１Ａのデスク状コンソールの上部位置には、現像済み写真フィルムから撮影コマ画像などのフィルム情報を取得するフィルムスキャナ２、取得した撮影コマ画像に対して必要な画像処理などを行うコントローラ４として機能する汎用パソコン、各種情報を表示するモニタ４ａ、各種設定や調整を行う際に用いる操作入力部として利用されるキーボード４ｂやマウス４ｃなどが配置されている。デジタルカメラ用メモリカードなどの記録媒体に対して一連（１オーダ分）の撮影コマ画像の読み書きが可能なメディアドライブ３は、このコントローラ４に組み込まれており、このコントローラ４にはモニタ４ａなども接続されている。
【００２１】
プリントステーション１Ｂは、図３に示すように、筐体内部に２つの印画紙マガジンＭＧ、露光ユニットＥｘ、現像処理部Ｄｅなどを備えている。この２つの印画紙マガジンＭＧに納めたロール状の印画紙Ｐを搬送してプリントサイズに切断するとともに、この切断された印画紙Ｐに対して露光ユニットＥｘで撮影コマ画像の露光を行い、この露光後の印画紙Ｐを複数の現像処理槽を有した現像処理部Ｄｅに送って現像する。その後、乾燥処理を行った後に横送りコンベア１８上に送り出し、横送りコンベア１８からソータ１９に送られた印画紙Ｐは、写真プリントＰ又はインデックスプリントＩＰとして、このソータ１９の複数のトレイにオーダ単位で仕分けられた状態で集積される。なお、上述した印画紙Ｐに対する各種処理に合わせた搬送速度で印画紙Ｐを搬送するために複数のチャッカー搬送ユニット１７ａを含む印画紙搬送機構１７が設けられている。また、露光ユニットＥｘは、操作ステーション１Ａから送られてくるプリントデータに基づいて印画紙Ｐを送りながらＲ（赤）、Ｇ（緑）、Ｂ（青）の３原色の光線の照射を印画紙Ｐに対して行うものであり、露光時には印画紙Ｐを副走査方向に搬送しながら、この搬送速度と同期して主走査方向に沿ってライン状に露光を行うよう構成されている。露光仕様に応じて、レーザビーム方式、蛍光ビーム方式、液晶シャッター方式などの採用が可能であるが、ここではレーザビーム方式が採用されている。さらには、感光プリント技術に代えてインクジェット方式など他のプリント技術を採用してもよい。
【００２２】
記録装置１Ｃは、操作ステーション１Ａのデスク状コンソールの上部位置に設置されており、図２に示すように、本体１０Ａの上部に配置したプリント部１０Ｐと、本体１０Ａの中間部に配置した書込部１０Ｗと、ＣＤ−ＲやＤＶＤ−Ｒなどのディスク型メディアＭ（記録媒体の一例）の集積部１０Ｃと、このディスク型メディアＭの給排を行うピッカー１１とを備えている。プリント部１０Ｐは、水平方向に出退作動自在なトレイ１２と、このトレイ１２に載置されたディスク型メディアＭの表面（レーベル面）に情報をプリントするインクジェット型のプリントヘッド（図示せず）とを備えている。書込部１０Ｗは、水平方向に出退作動自在なトレイ１３と、このトレイ１３に載置されたディスク型メディアＭに対して情報を書き込む書込ヘッド（図示せず）とを備えている。集積部１０Ｃは、未処理ディスクストッカー１４と、処理済ディスクストッカー１５とを備えている。ピッカー１１は、ディスク型メディアＭを挟持する状態と分離する状態とに切り換え自在に構成されるとともに、昇降部１６に沿って昇降自在で、この昇降部１６の縦向きの軸芯を中心として揺動自在に構成されている。
【００２３】
この記録装置１Ｃは、集積部１０Ｃの未処理ディスクストッカー１４にセットされた未処理のディスク型メディアＭをピッカー１１が挟持して持ち上げ、プリント部１０Ｐのトレイ１２に供給することによりディスク型メディアＭの表面（レーベル面）にタイトルなどのプリントを行う。次に、プリントされたディスク型メディアＭをピッカー１１で挟持して書込部１０Ｗのトレイ１３に供給してデータを記録する。このプリントと記録とが終了したディスク型メディアＭを再びピッカー１１で挟持し、このピッカー１１を縦向き姿勢の軸芯周りで揺動させ、集積部１０Ｃの処理済ディスクストッカー１５の上方から下方に送り込む形態でディスク型メディアＭが集積するよう制御されている。
【００２４】
〔コントローラの構成〕
この写真処理装置１のコントローラ４は、ＣＰＵを中核部材として、写真処理装置１の種々の動作を行うための機能部をハードウェア又はソフトウェアあるいはその両方で構築している。図４及び図５に示すように、本発明に関係する処理系の機能部としては、入力された撮影コマ画像を各種処理のためにメモリ４０に展開する画像入力部４１と、グラフィック化された操作画面やそのようなグラフィック操作画面を通じて取得した制御コマンドなどを管理するグラフィックユーザインターフェース（以下ＧＵＩと略称する）を構築するＧＵＩ部４２と、入力された撮影コマ画像に必要な画像処理を施す画像処理部４３と、撮影コマ画像を自動的に順次表示するスライドショーを作成するスライドショー作成部４４と、記録媒体の空き容量に基づいて、スライドショー作成部４４において作成された複数のスライドショーが当該記録媒体に記録可能か判定する記録量判定部４５と、記録量判定部４５において記録不可能と判定された場合、その判定結果を報知する報知部４６と、画像処理済みの撮影コマ画像をプリントステーション１Ｂのプリント仕様に合わせたプリントデータに変換し、プリントステーション１Ｂの露光ユニットＥｘに転送するプリントデータ生成部４７と、生の撮影コマ画像や画像処理済みの撮影コマ画像、スライドショー作成部４４において作成された複数のスライドショーなどをＣＤ−ＲやＤＶＤ−Ｒなどのメディアに出力するフォーマット形式に変換してメディア出力データを生成し、記録装置１Ｃに転送するメディア出力データ生成部４８が挙げられる。
【００２５】
また、コントローラ４は入出力インターフェース（Ｉ／Ｏ）を備え、フィルムスキャナ２、メディアドライブ３、モニタ４ａ、キーボード４ｂやマウス４ｃなどに対する情報の入出力系を形成するとともに、プリントステーション１Ｂの露光ユニットＥｘ、記録装置１Ｃに対する情報の入出力系を形成している。
【００２６】
ＧＵＩ部４２は、図６に例示するようなスライドショー設定画面５０や図７に例示するようなスライドショー画像選択画面６０、図８に例示するようなスライドショー切替モード選択画面７０などの操作画面を生成する操作画面生成部４２ａや種々の操作画面を通じて取得した操作コマンドを管理する操作コマンド管理部４２ｂなどを有している。
【００２７】
なお、図６に例示するスライドショー設定画面５０は、作成するスライドショーの数を設定する作成数設定欄５１、スライドショーにおいて表示される撮影コマ画像の表示時間（一撮影コマ画像当たりの表示時間）を設定する表示時間設定欄５２、スライドショーにおいて表示される撮影コマ画像を設定する表示画像設定欄５３、スライドショーにおいて表示される撮影コマ画像の切替モードを設定する切替モード設定欄５４を有している。また、図７に例示するスライドショー画像選択画面６０は、ユーザが提供したメモリカードなどの記録媒体から取得した撮影コマ画像のサムネイル画像（低解像度の画像データ）を一覧表示する画像リスト欄６１、画像リスト欄６１に表示されたサムネイル画像をマウス４ｃなどの操作で選択してスライドショー画像として追加する「スライドショー画像に追加」ボタン６２、選択されたサムネイル画像に対応した撮影コマ画像をスライドショー画像として選択した順序で表示するスライドショー画像リスト欄６３を有している。さらに、図８に例示するスライドショー切替モード選択画面７０は、スライドショーにおける切替モードを設定する切替モード個別設定欄７１を有している。
【００２８】
スライドショー作成部４４は、スライドショー画像選択画面６０などに基づいて選択された撮影コマ画像を、スライドショーにおいて表示される撮影コマ画像群の撮影コマ画像として設定するスライドショー画像設定部４４ａ、撮影コマ画像群の各撮影コマ画像のスライドショーにおける表示時間を設定する表示時間設定部４４ｂ、スライドショーにおいて表示される撮影コマ画像が切り替わる際の切替モードを設定するとともに、設定された切替モードの所要時間を前記表示時間に応じて変更する切替モード設定部４４ｃ、スライドショーに同期して再生される音声（ＢＧＭ）などを設定する音声（ＢＧＭ）設定部４４ｄを有している。そして、後述する各種設定により、このスライドショー作成部４４は、一の撮影コマ画像群について、スライドショーにおいて表示される撮影コマ画像群の各撮影コマ画像の表示時間が相違する複数のスライドショーを作成することができる。
【００２９】
〔複数のスライドショーの作成手順〕
次に、本実施形態における複数のスライドショーの作成手順について説明する。デジタルカメラのメモリカードなどから撮影コマ画像をメディアドライブ３などから読み込み、プリント出力又はメディア出力のための画像処理を施す。そして、この撮影コマ画像のスライドショーを作成するため、スライドショー設定画面５０が表示され、スライドショー作成のための種々の設定を行う。
【００３０】
まず、スライドショー設定画面５０の作成数設定欄５１において、作成するスライドショーの数を設定する。図６では例として作成数３がプルダウン式メニューの中から選択されている。スライドショーの作成数が設定されると、その設定した作成数に応じて、各々のスライドショーにおいて表示される撮影コマ画像の表示時間（一撮影コマ画像当たりの表示時間）を設定するための個別設定欄５２ａが表示時間設定欄５２に表示される。この個別設定欄５２ａにおいて、各々のスライドショーにおいて表示される撮影コマ画像の表示時間をプルダウン式メニューから又は直接入力することにより設定することができる。ここでは、作成数設定欄５１において作成数３が設定されているので、表示時間設定欄５２にはスライドショーＡ〜Ｃの３つのスライドショーに対して夫々個別設定欄５２ａが表示され、各スライドショーの撮影コマ画像の表示時間として４秒、６秒、８秒が夫々選択されている。すなわち、スライドショーＡでは４秒の時間間隔で、スライドショーＢでは６秒の時間間隔で、スライドショーＣでは８秒の時間間隔で、撮影コマ画像が切り替わるように設定される。
【００３１】
このようにして撮影コマ画像の表示時間を設定すると、次に、表示画像設定欄５３においてスライドショーで表示される撮影コマ画像の設定を行う。図６では、「自動設定」又は「リストから選択」ボタンが表示されており、このうち「自動設定」ボタンを操作すると、撮影コマ画像の全部又はランダムに抽出した一部から構成される撮影コマ画像群が図示しないスライドショー画像確認表示画面に一覧表示され、これを確認して自動設定することができる。また、「リストから選択」ボタンを操作すると、図７に例示されるスライドショー画像選択画面６０が表示される。このスライドショー画像選択画面６０において、サムネイル画像表示の撮影コマ画像が一覧表示された画像リスト欄６１の中から所望の画像を「スライドショー画像に追加」ボタン６２を操作することにより選択する。選択されたサムネイル画像に対応した撮影コマ画像は、スライドショー画像リスト欄６３に選択した順序で表示される。この操作を繰り返すことにより、スライドショーにおいて表示される撮影コマ画像の選択を終えた場合は、スライドショー画像選択画面６０の右下にある「ＯＫ」ボタンを操作することにより設定を完了し、スライドショー設定画面５０に戻ることになる。
【００３２】
スライドショーで表示される撮影コマ画像の設定の次に、切替モード設定欄５４において、スライドショーにおいて表示される撮影コマ画像の切替モードの設定を行う。この切替モードは各スライドショー共通で、すなわち各スライドショーの間で同一の撮影コマ画像に対しては同一の切替モードが設定され、設定された切替モードの所要時間は撮影コマ画像の表示時間に応じて変更されるように構成されている。図６では、「自動設定」又は「リストから選択」ボタンが表示されており、このうち「自動設定」ボタンを操作すると、自動的に切替モードの設定がなされる。また、「リストから選択」ボタンを操作すると、図８に例示されるスライドショー切替モード選択画面７０が表示され、スライドショーにおける切替モードの選択を行うことができる。図８では、切替モードとして、直ぐに次の撮影コマ画像に切り替わる「設定なし」と、表示されている撮影コマ画像の画面をめくり次の撮影コマ画像の画面を表示する「ページめくり」と、表示されている撮影コマ画像をフェードアウトして次の撮影コマ画像を表示する「フェードアウト」の各切替モードが選択可能に表示されている。また、各切替モードの右側には対象コマ選択欄７１ａがあり、選択した切替モードを設定する撮影コマ画像の選択を行うことができる。図８では、切替モードとして「ページめくり」が選択され、その対象として「全て」の撮影コマ画像が選択されている。もちろん切替モードを複数選択し、その対象コマ選択欄７１ａにコマ番号（撮影コマ画像の表示順の番号）を直接入力することにより、例えばあるコマ番号については「ページめくり」、それ以外は「フェードアウト」など撮影コマ画像毎に異なる切替モードを設定するようにしてもよい。なお、設定された切替モードの所要時間は撮影コマ画像の表示時間に応じて変更されるように構成されており、ここではスライドショーＡ、Ｂ、Ｃにおける表示時間は夫々４秒、６秒、８秒と設定されているので、切替モードの所要時間もこれに応じて４：６：８＝２：３：４となるように変更される。例えば、スライドショーＡにおける「ページめくり」の所要時間が１秒の場合、スライドショーＢでは１．５秒、スライドショーＣでは２秒となる。なお、この切替モードの所要時間は各撮影コマ画像の表示時間に含まれるように構成しており、例えばスライドショーＡでは３秒の静止した撮影コマ画像表示＋１秒の切替モード（「ページめくり」）表示となるが、表示時間とは別に、すなわち表示時間に加えるように構成してもよい。このようにしてスライドショーにおける切替モードの選択を終えた場合は、スライドショー切替モード選択画面７０の右下にある「ＯＫ」ボタンを操作することにより設定を完了し、スライドショー設定画面５０に戻る。
【００３３】
上述した各設定が終了し、スライドショー設定画面５０の右下にある「次へ」ボタンを操作すると、作成したスライドショーに同期して再生される音声（ＢＧＭ）などを設定するＢＧＭ設定画面（図示せず）などが表示され、これらについて所要の設定を行ってスライドショーの作成に係る設定作業を完了する。なお、この音声（ＢＧＭ）は、スライドショー毎に異なるものを選択できるように構成しても良い。
【００３４】
全ての設定作業の完了により、設定した表示時間や切替モードなどを有する撮影コマ画像群のスライドショーの動画ファイルが設定した数だけ作成される。そして、作成されたスライドショーの動画ファイルは、メディア出力データ生成部４８において、例えば、記録装置１Ｃのディスク型メディアＭとしてＣＤ−Ｒが設定されている場合はＭＰＥＧ１形式（Ｖｉｄｅｏ−ＣＤ）で、ＤＶＤ−Ｒが設定されている場合はＭＰＥＧ２形式（ＤＶＤ−Ｖｉｄｅｏ）でエンコードされるとともに、各スライドショーに対応する音声（ＢＧＭ）データもエンコードされ、設定された一のディスク型メディアＭに記録される。すなわち、同一の撮影コマ画像群について、各撮影コマ画像の表示時間が作成したスライドショー毎に相違する複数の（図６の例では３つの）スライドショーが作成され、一の記録媒体に記録される。また、撮影コマ画像の静止画像データについても併せて記録されるが、別のディスク型メディアＭに記録する形態を採用してもよい。
【００３５】
なお、上述したスライドショーの作成工程においては、記録量判定部４５が作成される複数のスライドショーのデータ量（画像データや音声データを含む記録媒体に記録する全てのデータ量）と、これらのスライドショーを記録する一のディスク型メディアＭの空き容量とをリアルタイムで算出し、作成される複数のスライドショーがこれらを記録する一のディスク型メディアＭに記録可能か否か、すなわちスライドショーのデータ量が空き容量以下か否か判定を行っている。なお、上述したように撮影コマ画像の静止画像データも併せて記録する場合は、この記録する全ての静止画像データのデータ量も含めて判定を行う。例えば、ディスク型メディアＭの記録容量からこの静止画像データの全データ量を減算したものを空き容量としてかかる判定を行うようにする。
【００３６】
そして、作成される複数のスライドショーがこれらを記録する一のディスク型メディアＭに記録不可能と判定された場合、すなわち、作成される複数のスライドショーのデータ量がこれらを記録する一のディスク型メディアＭの空き容量を超えた場合、報知部４６がその判定結果を報知する。このような報知例としては、図９に例示するように、モニタ４ａに「作成したスライドショーがメディアの空き容量を超えています」などの警告画面８０を表示する形態や、音声で報知する形態、又はその両方を採用してもよい。このような警告表示などが行われた場合は、静止画像データを別のディスク型メディアＭに記録するようにしたり、より大きな容量の記録媒体に変更したり、スライドショー設定画面５０に戻って作成するスライドショーの数を減らしたりするなどすればよい。
【００３７】
このように、本実施形態においては、ＪＰＥＧなどの静止画フォーマットの複数の撮影コマ画像をスライドショー化して、ＭＰＥＧなどの動画フォーマットでディスク型メディアＭなどに出力する。そして、作成されたディスク型メディアＭを写真ＤＰ店などから受け取ったユーザは、ＤＶＤプレーヤーなどの動画再生機器にこのディスク型メディアＭをセットして、メニュー画面において複数のスライドショーの中から自分の好みに応じた表示時間のスライドショーを選択して鑑賞することができる。
【００３８】
〔別実施形態１〕
上述した実施形態では、スライドショー設定画面５０の表示時間設定欄５２において、各々のスライドショーにおいて表示される各撮影コマ画像の表示時間を設定するようにしたが、各々のスライドショーの再生所要時間を設定して、これを表示する撮影コマ画像数で除算するなどして、一撮影コマ画像当たりの表示時間を自動的に調整するよう構成してもよい。例えば、図６のスライドショー設定画面５０の表示時間設定欄５２にある「スライドショーの再生所要時間を指定」ボタン５２ｂを操作することにより、図１０に例示されるように、スライドショー設定画面５０の表示時間設定欄５２に代えてスライドショー再生所要時間設定欄５５が表示され、個別設定欄５５ａにおいて各々のスライドショーの再生所要時間を設定することができる。そして、ここで設定された再生所要時間と表示画像設定欄５３において設定された撮影コマ画像数とに基づいて、表示時間設定部４４ｂにおいて一撮影コマ画像当たりの表示時間が算出される。この算出結果は確認画面などに表示するように構成すると好適である。このようにして、再生所要時間を所望の時間に指定できるとともに、各撮影コマ画像の表示時間がスライドショー毎に相違する複数のスライドショーを簡単に作成することができる。
【００３９】
〔別実施形態２〕
上述した実施形態では、一のスライドショーにおいて表示される各撮影コマ画像の表示時間を一定としたが、撮影コマ画像の内容（風景写真か人物集合写真かなど）により、撮影コマ毎に表示時間が異なるスライドショーを作成し、このスライドショーに基づいて複数のスライドショーを作成するように構成してもよい。この場合、この一のスライドショーを基準スライドショーとして、他のスライドショーの撮影コマ画像の表示時間を、基準スライドショーの対応する撮影コマ画像の所定倍にすることにより複数のスライドショーを作成することができる。このようなスライドショーの設定画面を図１１に例示する。図１１のスライドショー設定画面９０は、作成するスライドショーの数を設定する作成数設定欄９１、スライドショーにおいて表示される撮影コマ画像の表示時間（一撮影コマ画像当たりの表示時間）の基準スライドショーに対する倍率を選択する表示時間倍率設定欄９２を有している。図１１では、作成数設定欄９１で作成数３が設定されるとともに、作成済みのスライドショーＡを基準スライドショーとして設定している。そして、表示時間倍率設定欄９２ではスライドショーＡ〜Ｃの３つが表示され、スライドショーＡを基準スライドショーとして、スライドショーＢに対して倍率１．５が、スライドショーＣに対して倍率２．０が選択されている。すなわち、この設定により、スライドショーＡで撮影コマ画像ａ及びｂが表示時間４秒、６秒で表示されていたとすると、スライドショーＢでは６秒、９秒で、スライドショーＣでは８秒、１２秒で表示されることになる。このようにして、一の基準スライドショーに基づいて複数のスライドショーを容易に作成することができる。
【図面の簡単な説明】
【００４０】
【図１】本実施形態に係る写真処理装置を示す外観模式図
【図２】記録装置の外観図
【図３】プリントステーションの構造を模式的に示す断面図
【図４】本実施形態に係る写真処理装置のコントローラの構成を示す模式図
【図５】本実施形態に係る写真処理装置のコントローラに構築された本実施形態に関する機能を説明する機能ブロック図
【図６】スライドショー設定画面を示す図
【図７】スライドショー画像選択画面を示す図
【図８】スライドショー切替モード選択画面を示す図
【図９】記録不可能であることを報知するモニタ画面図
【図１０】別実施形態１におけるスライドショー設定画面を示す図
【図１１】別実施形態２におけるスライドショー設定画面を示す図
【符号の説明】
【００４１】
１Ｃ  記録装置（画像記録部）
４４  スライドショー作成部
４４ａ  スライドショー画像設定部
４４ｂ  表示時間設定部
４４ｃ  切替モード設定部
４５  記録量判定部
４６  報知部
【図１】
2007243572.tif 000003
【図２】
2007243572.tif 000004
【図３】
2007243572.tif 000005
【図４】
2007243572.tif 000006
【図５】
2007243572.tif 000007
【図６】
2007243572.tif 000008
【図７】
2007243572.tif 000009
【図８】
2007243572.tif 000010
【図９】
2007243572.tif 000011
【図１０】
2007243572.tif 000012
【図１１】
2007243572.tif 000013